【事件の表示】
　平成１０年特許願第１９７１１４号「光ディスク記録パワー制御方法及び装置」拒絶査定に対する審判事件［平成１２年　１月２８日出願公開、特開２０００−　３０２７７］について、次のとおり審決する。
【結　論】
　本件審判の請求は、成り立たない。
【理　由】
１．手続の経緯・本願発明
　本願は、平成１０年７月１３日の出願であって、本願の請求項１，２に係る発明は、平成１４年２月４日付けの手続補正書、平成１４年６月１０日付け手続補正により補正された明細書及び図面の記載からみて、その特許請求の範囲の請求項１，２に記載された事項により特定されるとおりのものと認められるところ、その請求項１に係る発明は以下のとおりのものと認める（以下、「本願発明」という。）。
　
　「光ディスクから情報を読み出す際のリードパワーと前記光ディスクに情報を書き込む際のライトパワーとをそれぞれ目標値に近づけるべくリード制御系及びライト制御系をそれぞれ介して別々に制御すると共に、
　記録開始時から最適ライトパワーを得るために予めライト制御系の制御入力と制御出力との関係を自動校正するようにした光ディスクの記録パワー制御方法であって、
　前記ライト制御系の自動校正は、書込命令が発行された直後に前記リード制御系の制御入力と前回の自動校正時のリード制御系の制御入力とを比較し、両者の差が所定の基準値よりも大きいときのみ実行することを特徴とする光ディスクの記録パワー制御方法。」
　
　
　
２．刊行物
　これに対して、拒絶査定で採用した平成１３年１１月２７日付けで通知した拒絶理由に引用された本願出願の日前に頒布された刊行物である特開平７−１５３１０６号公報（以下、「刊行物」という。）は、半導体レーザの記録開始時から最適出力レーザーパワーが得られるよう出力を制御する光ディスク装置のレーザーパワー制御方法、に関するものであって、図面とともに以下の記載がある。
　
　１）“【請求項１】半導体レーザーの電流対出力レーザーパワー特性を予め測定し前記電流対出力レーザーパワー特性の曲線の傾きを計算するレーザーパワー学習機能と、設定された記録パワー，消去パワーになるよう前記電流対出力レーザーパワー特性曲線の傾きからレーザー印加電流を算出する手段と、再生レーザーパワーについて受光素子の出力電流を常時モニターして一定出力に制御する機能を有する演算手段が組み込まれたレーザーパワー制御回路を有する光ディスク装置において、光ディスクに記録を行う直前に消去パワーおよび記録パワーを発光させ、その時の発光レーザーパワーと、前記レーザーパワー学習により演算手段で設定された消去パワーおよび記録パワー設定値とを比較し、その差異を補正する機能をもつレーザーパワー制御回路を有することを特徴とする光ディスク装置。
　【請求項２】前記再生レーザーパワーの制御において、前記再生レーザー印加電流値とレーザーパワー学習時の初期印加電流値との印加電流変化を検出する手段と、その印加電流変化を温度変化検出手段として取り扱って、前記印加電流変化がある一定値を超えたときに、レーザーパワーの学習をやり直すとともに、フォーカスサーボ，トラッキングサーボなどのサーボ系の設定値の学習を再度行う機能を有すること特徴とする請求項１記載の光ディスク装置。”
　
　２）“【０００４】図１にディジタル制御のレーザーパワー制御回路の構成を示す。図１において、１０１はレーザーパワー設定値を制御するマイコン、１０２は再生側Ｄ／Ａ変換回路、１０３は消去側Ｄ／Ａ変換回路、１０４は記録側Ｄ／Ａ変換回路、１０５，１０６，１０７はそれぞれ再生パワー，消去パワー，記録パワー用のレベルシフト回路、１０８は再生側電流源１１１をオン・オフさせるスイッチ、１０９は消去側電流源１１２をオン・オフさせるスイッチ、１１０は記録側電流源１１３をオン・オフさせるスイッチ、１１４は記録データの“Ｈ”，“Ｌ”により記録側電流源１１３からの電流をオン・オフさせるスイッチ、１１５は半導体レーザー、１１６は半導体レーザー１１５の出力パワーをモニターするためのピンダイオード、１１７はピンダイオード１１６の電流を電圧に変換するＩ−Ｖ変換回路、１１８はＩ−Ｖ変換回路１１７からの電圧をＡ／Ｄ変換回路のダイナミックレンジに合わせるためのレベルシフト回路、１１９はレベルシフト回路１１８の電圧を増幅する電圧増幅器、１２０は再生側Ａ／Ｄ変換回路、１２１は記録側Ａ／Ｄ変換回路である。”
　
　３）“【０００６】まず、レーザーオン信号により、スイッチ１０８、再生側電流源１１１がオンし、半導体レーザー１１５に再生パワー電流が流れ、再生レーザーパワー（例えば１ｍＷ）が出力される。再生レーザーパワーは、再生側Ａ／Ｄ変換回路１２０に常にある再生パワー設定値分の電圧が戻ってくるように、再生側Ｄ／Ａ変換回路１０２のディジタル設定値をマイコン１０１で常時増減させて制御する。” 
　
　４）“【０００７】消去，記録パワーの設定については、半導体レーザー１１５の電流対出力レーザーパワー特性を測定しその特性を直線近似して傾きを計算する「レーザーパワー学習」を行う。
　【０００８】まず、ある初期値を消去側Ｄ／Ａ変換回路１０３に設定し、スイッチ１０９，１１０をオンする。記録側Ａ／Ｄ変換回路１２１には初期値に対する半導体レーザー出力パワー分の電圧が入力される。この記録側Ａ／Ｄ変換回路１２１の電圧が、消去パワー付近のある値Ａになるまで、消去側Ｄ／Ａ変換回路１０３の設定値をマイコン１によって増減する。記録側Ａ／Ｄ変換回路１２１の値がＡ値になると、消去側Ｄ／Ａ変換回路１０３の値はそのままで、記録側Ｄ／Ａ変換回路１０４にある初期値を設定し、スイッチ１１４をオンさせる。今度は、記録側Ａ／Ｄ変換回路１２１の値が記録パワー付近のある値Ｂになるまで、記録側Ｄ／Ａ変換回路１０４の設定値をマイコン１０１が制御する。Ａ値，Ｂ値が確定すると、スイッチ１０９，１１０，１１４をオフし、再生パワー制御の状態にする。　
　【０００９】マイコン１０１は、Ａ値の時の消去側Ｄ／Ａ変換回路１０３の設定値Ｃと、Ｂ値の時の記録側Ｄ／Ａ変換回路１０４の設定値Ｄを記憶し、Ａ，Ｂ，Ｃ，Ｄの値から、半導体レーザー１１５の電流対出力パワー特性を直線化し、その傾きＫを算出する。実際の記録時には、任意の消去パワー設定値と記録パワー設定値に対し、それらの設定値とＡ値，Ｂ値の差を直線の傾きＫおよびＣ値，Ｄ値から計算し、Ｃ値，Ｄ値に加減することによって、設定された消去パワー，記録パワーを出力する。”
　
　５）“【００１０】半導体レーザーの温度特性は、一般的に１軸シフトであり、傾きＫはほとんど変化せず、再生レーザーパワーの印加電流は常に温度に追従することになるので、記録を行う場合には、その直前の再生レーザーパワーの印加電流を加えることで、ある程度の温度特性によるレーザーパワー変化に追従できる。
　
　６）“【００１３】そこで本発明は、記録時における消去パワー，記録パワーの設定精度を改善すること、および、温度検出素子を用いずにサーボ系温度特性を改善することができる光ディスク装置を提供することを目的とする。　　　　　　　　　　　　　　　　
　【００１６】【作用】第１の光ディスク装置によれば、光ディスク記録時に設定値の補正をすることで、半導体レーザーの発振領域において直線近似を行っているレーザーパワー学習に対して、実際の半導体レーザーの発振領域の非直線性による消去パワー，記録パワーの設定値とのずれを補正し、消去パワー，記録パワーを精度よく出力させることができる。”
　
　７）“【００２３】記録動作を行う場合、データを記録する前に、まず、消去パワー，記録ピークパワーの補正を行う補正学習を行う。・・・（中略）・・・ＣＰＵ２０９が半導体レーザーパワーを制御するマイコン１０１に補正学習指令を出し、そのトラックに記録する時のレーザーパワーの値である消去パワー値と記録パワー値を設定する。マイコン１０１は、前記のレーザーパワー学習の結果から、設定された消去パワーと記録パワー相当の出力値を算出し、Ｄ／Ａ変換回路１０３，１０４にそれぞれのディジタル電圧値を出力する。
　【００２４】その後、ＣＰＵ２０９は、光ディスク２０１の記録を行う最初のセクタの１セクタのみの記録許可ゲート信号を出力する。記録許可ゲート信号が出力されると、スイッチ１１０が非導通の状態で、スイッチ１０９が導通し、消去側電流源１１２からバイアスパワー設定値相当の電流が半導体レーザー１１５に流れる。このときのピンダイオード１１６からの電流をＩ−Ｖ変換回路１１７、記録側Ａ／Ｄ変換回路１２１の出力値によりディジタル電圧値としてモニターし、その消去パワーのディジタル値Ｘ１を記憶する。次にスイッチ１１０を導通させ、記録側電流源１１３から記録パワー設定値相当の電流が流れる。このときのピンダイオード１１６からの電流をＩ−Ｖ変換回路１１７、記録側Ａ／Ｄ変換回路１２１の出力値によりディジタル電圧値としてモニターし、そのディジタル値Ｘ２を記憶する。その後、スイッチ１１０を非導通にし、記録許可ゲート信号が“Ｌ”になり、スイッチ１０９が非導通となり、記録するトラック上で、スタンバイ状態とな
る。
　【００２５】ＣＰＵ２０９から設定された消去パワー設定値をＹ１、記録パワー設定値をＹ２とすると、Ｙ１とＸ１の差Ｚ１およびＹ２とＸ２の差Ｚ２をマイコン１０１が計算し、それぞれの差分Ｚ１、Ｚ２相当のディジタル出力電圧をパワー学習の結果より計算し、Ｄ／Ａ変換回路１０３，１０４に出力しているディジタル電圧値に、差分のディジタル電圧出力値を消去側Ｄ／Ａ変換回路１０３、記録側Ｄ／Ａ変換回路１０４にそれぞれ加減算して設定する。ここまで終了すると、記録ができる状態になったことをマイコン１０１からＣＰＵ２０９に送信し、記録許可待ち状態になる。そして、ＣＰＵ２０９は記録許可ゲートを出力し、目的アドレスおいて通常に記録を行う。このとき、周知のように、レーザーパワー補正を行たセクタを上書きすることから記録を始める。”
　
　８）“【００２７】本実施例のレーザーパワー制御回路においては、スタンバイ状態にあるとき、再生レーザーパワーの出力を常時モニターし、再生側Ｄ／Ａ変換回路１０２に設定するディジタル電圧値を常時変化させ、制御することによって、再生レーザーパワーを常に一定にしている。通常、半導体レーザーの出力は、周囲温度または自己温度の変化によって電流対出力パワーの特性が変化する。そこで、レーザーパワー学習を行ったときの再生側Ｄ／Ａ変換回路設定ディジタル電圧値を記憶しておき、再生レーザーパワー制御時に、その値とある程度差が開けば、周囲温度または自己温度が変化したことになる。そこで、その差がある値以上になれば、レーザーパワー学習をやり直し、記憶する再生側Ｄ／Ａ変換回路設定ディジタル値を更新することは周知の通りである。”
　
　以上の記載事項及び図面の記載を総合勘案して整理すると、要するに、刊行物には以下の発明（以下、「刊行物発明」という。）が記載されているものと認める。
　
　「１０１はレーザーパワー設定値を制御するマイコン、１０２は再生側Ｄ／Ａ変換回路、１０３は消去側Ｄ／Ａ変換回路、１０４は記録側Ｄ／Ａ変換回路、１０５，１０６，１０７はそれぞれ再生パワー，消去パワー，記録パワー用のレベルシフト回路、１０８は再生側電流源１１１をオン・オフさせるスイッチ、１０９は消去側電流源１１２をオン・オフさせるスイッチ、１１０は記録側電流源１１３をオン・オフさせるスイッチ、１１４は記録データの“Ｈ”，“Ｌ”により記録側電流源１１３からの電流をオン・オフさせるスイッチ、１１５は半導体レーザー、１１６は半導体レーザー１１５の出力パワーをモニターするためのピンダイオード、１１７はピンダイオード１１６の電流を電圧に変換するＩ−Ｖ変換回路、１１８はＩ−Ｖ変換回路１１７からの電圧をＡ／Ｄ変換回路のダイナミックレンジに合わせるためのレベルシフト回路、１１９はレベルシフト回路１１８の電圧を増幅する電圧増幅器、１２０は再生側Ａ／Ｄ変換回路、１２１は記録側Ａ／Ｄ変換回路からなる光ディスクの記録パワー制御方法であって、
　再生動作時は、レーザーオン信号により、スイッチ１０８、再生側電流源１１１がオンし、半導体レーザー１１５に再生パワー電流が流れ、再生レーザーパワーが出力されるもので、再生側Ａ／Ｄ変換回路１２０に常にある再生パワー設定値分の電圧が戻ってくるように、再生側Ｄ／Ａ変換回路１０２のディジタル設定値をマイコン１０１で常時増減させて制御する。　
　記録動作時は、データを記録する前に、まず、消去パワー，記録ピークパワーの補正を行う補正学習を行うもので、ＣＰＵ２０９が、光ディスク２０１の記録を行う最初のセクタの１セクタのみの記録許可ゲート信号を出力し、スイッチ１１０が非導通の状態で、スイッチ１０９が導通し、消去側電流源１１２からバイアスパワー設定値相当の電流が半導体レーザー１１５に流れる、このときのピンダイオード１１６からの電流をモニターし、消去パワーのディジタル値Ｘ１を記憶、次にスイッチ１１０を導通させ、記録側電流源１１３から記録パワー設定値相当の電流を流し、このときのピンダイオード１１６からの電流をモニターし、ディジタル値Ｘ２を記憶、その後、スイッチ１１０を非導通、スイッチ１０９を非導通として、記録するトラック上で、スタンバイ状態とする。
　ＣＰＵ２０９から設定された消去パワー設定値をＹ１、記録パワー設定値をＹ２とすると、Ｙ１とＸ１の差Ｚ１およびＹ２とＸ２の差Ｚ２をマイコン１０１が計算し、それぞれの差分Ｚ１、Ｚ２相当のディジタル出力電圧をパワー学習の結果より計算し、Ｄ／Ａ変換回路１０３，１０４に出力しているディジタル電圧値に、差分のディジタル電圧出力値を消去側Ｄ／Ａ変換回路１０３、記録側Ｄ／Ａ変換回路１０４にそれぞれ加減算して設定して記録許可待ち状態にする。
　前記、スタンバイ状態にあるときは、再生レーザーパワーの出力を常時モニターし、再生側Ｄ／Ａ変換回路１０２に設定するディジタル電圧値を常時変化させ、制御することによって、再生レーザーパワーを常に一定にして、半導体レーザーの出力が、周囲温度または自己温度の変化によって電流対出力パワーの特性が変化すると、レーザーパワー学習を行ったときの再生側Ｄ／Ａ変換回路設定ディジタル電圧値を記憶しておき、再生レーザーパワー制御時に、その値とある程度差が開けば、周囲温度または自己温度が変化したことになるので、ある値以上になれば、レーザーパワー学習をやり直し、記憶する再生側Ｄ／Ａ変換回路設定ディジタル値を更新する光ディスクの記録パワー制御方法」（以下、「刊行物発明」という。）
　
　
　
３．対比・判断
　１）対比
　刊行物発明における“レーザーオン信号により、スイッチ１０８、再生側電流源１１１がオンし、半導体レーザー１１５に再生パワー電流が流れ、再生レーザーパワーが出力されるものであって、再生側Ａ／Ｄ変換回路１２０に常にある再生パワー設定値分の電圧が戻ってくるように、再生側Ｄ／Ａ変換回路１０２のディジタル設定値をマイコン１０１で常時増減させて制御する。”は、本願発明の「光ディスクから情報を読み出す際のリードパワーと目標値に近づけるべくリード制御系」に相当する。
　また、刊行物発明における記録動作時の“１０３は消去側Ｄ／Ａ変換回路、１０４は記録側Ｄ／Ａ変換回路、１０６，１０７はそれぞれ，消去パワー，記録パワー用のレベルシフト回路、１０９は消去側電流源１１２をオン・オフさせるスイッチ、１１０は記録側電流源１１３をオン・オフさせるスイッチ、１１４は記録データの“Ｈ”，“Ｌ”により記録側電流源１１３からの電流をオン・オフさせるスイッチ、１１５は半導体レーザー、１１６は半導体レーザー１１５の出力パワーをモニターするためのピンダイオード、１１７はピンダイオード１１６の電流を電圧に変換するＩ−Ｖ変換回路、１１８はＩ−Ｖ変換回路１１７からの電圧をＡ／Ｄ変換回路のダイナミックレンジに合わせるためのレベルシフト回路、１２１は記録側Ａ／Ｄ変換回路”からなる回路の系、及び“ＣＰＵ２０９から設定された消去パワー設定値をＹ１、記録パワー設定値をＹ２とする”においての『設定値』は実質的に目標値であるから、ここには本願発明の「光ディスクに情報を書き込む際のライトパワーと目標値に近づけるべくライト制御系」に相当する記載があるとともに、さらに前記回路の系の構成を見ると、Ｄ／Ａ変換器（１０２〜１０４）、レベルシフト（１０５〜１０７）、Ａ／Ｄ変換器（１２０，１２１）、及び駆動スイッチ（１０８〜１１０）等が再生動作時と記録動作時とで区分されているから、ここには本願発明の「リードパワー系とライトパワー系で別々に制御系」を構築している記載である。
　同様にして、刊行物発明の“記録動作は、データを記録する前に、まず、消去パワー，記録ピークパワーの補正を行う補正学習を行うもので、ＣＰＵ２０９が、光ディスク２０１の記録を行う最初のセクタの１セクタのみの記録許可ゲート信号を出力し、・・・（中略）・・・消去パワーのディジタル値Ｘ１を記憶し、次にスイッチ１１０を導通させ、記録側電流源１１３から記録パワー設定値相当の電流を流し、・・・（中略）・・・ディジタル値Ｘ２を記憶し、その後、スイッチ１１０を非導通、スイッチ１０９を非導通として、記録するトラック上で、スタンバイ状態とする。ＣＰＵ２０９から設定された消去パワー設定値をＹ１、記録パワー設定値をＹ２とすると、Ｙ１とＸ１の差Ｚ１およびＹ２とＸ２の差Ｚ２をマイコン１０１が計算し、それぞれの差分Ｚ１、Ｚ２相当のディジタル出力電圧をパワー学習の結果より計算し、Ｄ／Ａ変換回路１０３，１０４に出力しているディジタル電圧値に、差分のディジタル電圧出力値を消去側Ｄ／Ａ変換回路１０３、記録側Ｄ／Ａ変換回路１０４にそれぞれ加減算して記録許可待ち状態にする。”は記録動作時に前もって記録のための『最適値を探る一連のステップ』であって、当該ステップの“パワー学習の結果より計算”を用いていくものである。そして、『パワー学習』とは上記２．４）で記載の手法で得られるもの、即ち、“半導体レーザーの出力は、周囲温度または自己温度の変化によって電流対出力パワーの特性が変化する。レーザーパワー学習を行ったときの再生側Ｄ／Ａ変換回路設定ディジタル電圧値を記憶しておき、再生レーザーパワー制御時に、その値とある程度差が開けば、周囲温度または自己温度が変化したことになる。その差がある値以上になれば、レーザーパワー学習をやり直し、記憶していく”とのものであれば、これは、本願発明に記載の「自動校正」を説明する【図４】の周囲温度に対応するものであるから、結局のところ、前記『最適値を探る一連のステップ』は、本願発明の「記録開始時から最適ライトパワーを得るために予めライト制御系の制御入力と制御出力との関係を自動校正するようにした」に相当する記載である。
　さらに、刊行物発明における“再生レーザーパワーの出力を常時モニターし、再生側Ｄ／Ａ変換回路１０２に設定するディジタル電圧値を常時変化させ、制御することによって、再生レーザーパワーを常に一定にして、半導体レーザーの出力が、周囲温度または自己温度の変化によって電流対出力パワーの特性が変化すると、レーザーパワー学習を行ったときの再生側Ｄ／Ａ変換回路設定ディジタル電圧値を記憶しておき、再生レーザーパワー制御時に、その値とある程度差が開けば、周囲温度または自己温度が変化したことになるので、ある値以上になれば、レーザーパワー学習をやり直し、記憶する再生側Ｄ／Ａ変換回路設定ディジタル値を更新する”なる記載は、再生レーザーパワーの出力を常時モニターして、その値とある程度差が開けば、周囲温度または自己温度が変化したことになり、レーザーパワーの学習をやり直す、逆に差がなければ更新しないもので、敷居値を何れにするにしても「差が所定の基準よりも大きく開いた際に実行する」というものであるから、ここには本願発明の「ライト制御系の自動校正は、リード制御系の制御入力と前回の自動校正時のリード制御系の制御入力とを比較し、両者の差が所定の基準値よりも大きいときのみ実行する」に相当する記載である。
　
　したがって、両者は、
「光ディスクから情報を読み出す際のリードパワーを目標値に近づけるべくリード制御系と前記光ディスクに情報を書き込む際のライトパワーを目標値に制御していくライト制御系をそれぞれ別々に制御すると共に、
　記録開始時から最適ライトパワーを得るために予めライト制御系の制御入力と制御出力との関係を自動校正するようにした光ディスクの記録パワー制御方法であって、
　前記ライト制御系の自動校正は、前記リード制御系の制御入力と前回の自動校正時のリード制御系の制御入力とを比較し、両者の差が所定の基準値よりも大きいときのみ実行することを特徴とする光ディスクの記録パワー制御方法。」
　で一致すると認められるものの、次の点で相違する。
　
　（１）相違点１
　ライト系パワー制御系において、刊行物発明は消去パワー設定値Ｙ１、記録パワー設定値Ｙ２と補正学習を行い得られた値との差分を加減算するとしか記載なく、本願発明のように「ライトパワーを目標値に近づけるべく制御するライト制御系」なる構成に言及してない点。
　
　（２）相違点２
　ライト制御系の自動校正であるが、本願発明は、「書込命令が発行された直後に実行する」ものであるが、刊行物発明はこの点が明確でない点。　
　
　
　２）判断
　（１）相違点１に関して、
　「ライトパワーを目標値に近づけるべく制御するライト制御系」なる構成は、刊行物発明も設定値をもってこれに近づけるべき差分をもって出力値を可減算しているもので「近づけるべく制御する」という技術的思想は同じであるし、仮に、本願発明のものが、（請求の範囲の記載からは明確でないが）フィードバック制御系を意図するにしても、そのような制御手法自体慣用手段であり刊行物発明の再生（リード）系採用しているものでもあるから、記録系つまりライト系も上記相違点１のようにすることは当業者が適宜容易に想到できるものである。
　
　（２）相違点２に関して、
　刊行物発明のものは、記録動作時のデータを記録する前に“補正学習”を実行し、その結果を“レーザーパワー学習機能”の結果と比較し記録許可待ち状態として、続いてＣＰＵは記録許可ゲートを出力してレーザーパワー補正を行ったセクタを上書きすることから記録を始めていくもので（上記、２．７）を参照）、少なくとも本願発明における「書込命令が発行された直後に（自動校正を）実行している」ものであると言える。
　確かに、再生系においての“再生レーザーパワーの出力を常時モニターし、再生側Ｄ／Ａ変換回路１０２に設定するディジタル電圧値を常時変化させ、制御することによって、再生レーザーパワーを常に一定にしている”再生レーザーパワーの変化の大きさをみながら、常時、レーザーパワー学習をしていくものであるが、レーザーパワー学習の結果は消去パワー，記録パワーの設定値の際のずれ補正することを主眼に、消去パワー，記録パワーを精度よく出力させるというものであるから、必要とする状況に応じて、上記相違点２の場合に実行することは適宜になし得るものである。
　なお、請求人は審判請求理由で「いま、現在の再生レーザーパワーの制御入力をrdac1、前回の自動校正時の再生レーザーパワーの制御入力をrdac2、基準値をThとした場合、自動校正のタイミングとしては、次のＡ，Ｂ，Ｃ，Ｄ（表で使用している記号）が考えられる。
　このうち、本願発明では、Ａのタイミングでのみライト制御系の自動校正が行われる。これに対し、刊行物発明の場合、書込命令の発行、又は温度変化を自動校正の条件としているために、Ａ，Ｂ，Ｃのタイミングで自動校正が行われることになる。このうち、Ｂのタイミングでは、書込命令の有無、すなわちユーザの意思に拘らず自動校正が実行されることになるので、校正期間中に再生要求があった場合、たとえ校正の一時中止などの措置をとったとしても、再生パフォーマンスの低下は免れ得ず、即応性が要求されるゲーム等においては、大きな問題となるという本願発明の課題を解決することができない。
　また、Ｃのタイミングでは、温度変化が無い場合でも自動校正が実行されることになるので、無駄な校正が増えて、再生パフォーマンスが低下し、やはり本願発明の課題を解決することはできない。」旨の主張をする。
　しかしながら、請求人は、ここで認めているように刊行物のものも本願発明で得られるべきＡのタイミングを含むもので、上記相違点として主張する構成は刊行物に包含されるものである。
　そして、Ｂ，Ｃ，Ｄを包含しないような「（Ａのタイミング）のみ」なる構成は本願発明の記載からは読みとれるものでないし（なお、本願発明に記載の「のみ」とは、書込命令が発行された直後を限定するのでなく、前回値と今回値の制御入力の差が所定の基準値よりも大きいときを限定する『のみ』である）、刊行物発明においては上記上記Ａ〜Ｄの範囲からＡのみへの限定は当業者が適宜になし得る事項である。　
　
　
　
４．むすび
　したがって、本願請求項１に記載された発明は、刊行物に記載された発明に基いて当業者が容易に発明をすることができたものであるので、特許法第２９条第２項の規定により特許を受けることができない。
　
　よって、結論のとおり審決する。